(57)【要約】      （修正有）【課題】支持構造体の左側フレームが左側フレームに対して完全に折り畳むことが可能で収納しやすい椅子やソファーを提供する。【解決手段】座部フレームと、座部フレームに対して角度が変更可能に連結された背もたれフレームとを備える支持構造体において、座部フレームは、使用者の左右方向に沿って配置された座部左フレーム及び座部右フレームによって構成され、座部左フレームと座部右フレームとは座部角度可変機構によって挟角が変更角に連結されており、背もたれフレームは、使用者の左右方向に沿って配置された背もたれ左フレーム及び背もたれ右フレームによって構成され、背もたれ左フレームと背もたれ右フレームとは背もたれ角度可変機構によって挟角が変更角に連結されている。  【選択図】図２
0003221821.tif 000002
【実用新案登録請求の範囲】
【請求項１】
座部フレームと、前記座部フレームに対して角度が変更可能に連結された背もたれフレームとを備える支持構造体において、
前記座部フレームは、使用者の左右方向に沿って配置された座部左フレーム及び座部右フレームによって構成され、座部左フレームと座部右フレームとは座部角度可変機構によって挟角が変更角に連結されており、
前記背もたれフレームは、使用者の左右方向に沿って配置された背もたれ左フレーム及び背もたれ右フレームによって構成され、背もたれ左フレームと背もたれ右フレームとは背もたれ角度可変機構によって挟角が変更角に連結されている、
ことを特徴する支持構造体。
【請求項２】
請求項１に記載の支持構造体において、
前記座部左フレームは、
座部左側主フレームと、
前記背もたれフレームの方向に向かうように、前記座部左側主フレームの左端に連結する座部左側連結フレームと、
前記座部右フレームの方向に向かうように、前記座部左側連結フレームに連結する座部左側支持フレームと、
前記座部左側主フレームと前記座部左側支持フレームと連結する座部左側支持補強フレームと、
を備え、
前記座部右フレームは、
座部右側主フレームと、
前記背もたれフレームの方向に向かうように、前記座部右側主フレームの右端に連結する座部右側連結フレームと、
前記座部左フレームの方向に向かうように、前記座部右側連結フレームに連結する座部右側支持フレームと、
前記座部右側主フレームと前記座部右側支持フレームと連結する座部右側支持補強フレームと、
を備え、
前記背もたれ左フレームは、
背もたれ左側主フレームと、
前記座部フレームの方向に向かうように、前記背もたれ左側主フレームの左端に連結する背もたれ左側連結フレームと、
前記背もたれ右フレームの方向に向かうように、前記背もたれ左側連結フレームに連結する背もたれ左側支持フレームと、
前記背もたれ左側主フレームと前記背もたれ左側支持フレームと連結する背もたれ左側支持補強フレームと、
を備え、
前記背もたれ右フレームは、
背もたれ右側主フレームと、
前記座部フレームの方向に向かうように、前記背もたれ右側主フレームの右端に連結する背もたれ右側連結フレームと、
前記背もたれ左フレームの方向に向かうように、前記背もたれ右側連結フレームと連結する背もたれ右側支持フレームと、
前記背もたれ右側主フレームと前記背もたれ右側支持フレームと連結する背もたれ右側支持補強フレームと、
を備え、
前記座部角度可変機構は、
前記座部左側主フレームと前記座部右側主フレームと夾角が調節可能で連結する座部主フレーム角度可変機構と、
前記座部左側支持フレームと前記座部右側支持フレームと夾角が調節可能で連結する座部支持フレーム角度可変機構と、
を含み、
前記背もたれ角度可変機構は、
前記背もたれ左側主フレームと前記背もたれ右側主フレームと夾角が調節可能で連結する背もたれ主フレーム角度可変機構と、
前記背もたれ左側支持フレームと前記背もたれ右側支持フレームと夾角が調節可能で連結する背もたれ支持フレーム角度可変機構と、
を含む、
ことを特徴とする支持構造体。
【請求項３】
請求項２に記載の支持構造体において、
前記座部左側連結フレームと前記背もたれ左側連結フレームとは、左側上下角度可変機構によって挟角が変更角に連結されており、
前記座部右側連結フレームと前記背もたれ右側連結フレームとは、右側上下角度可変機構によって挟角が変更角に連結されている、
ことを特徴とする支持構造体。
【請求項４】
請求項１〜３の何れか一項に記載の支持構造体と、前記支持構造体に被覆されるクッション部とによって構成される、座椅子又はソファー。
【考案の詳細な説明】
【技術分野】
【０００１】
本考案は、座部フレーム及び背もたれフレームを備える支持構造体及びこの支持構造体を備える座椅子又はソファーに関する。
【背景技術】
【０００２】
従来技術により、通常、骨格となる支持構造体を有しており、支持構造体は座部及び背もたれに対応する座部フレーム及び背もたれフレームを含んでいる。使用者が座椅子を収納する際に、背もたれフレームが座部フレームに対して折り畳みして収納することができる。
【０００３】
しかし、ある収納空間が正方形の空間となって、例えば図１に示すような長さがより長い椅子（ソファー）である場合、背もたれフレームが座部フレームに対して折り畳みしても収納空間に入れない問題もよく起こります。
【考案の概要】
【考案が解決しようとする課題】
【０００４】
本考案の目的は、使用者の体の向きにあわせて使用者を安定的且つ快適に支持するとともに収納が収納空間により自由にできる支持構造体、及び該支持構造体を備える座椅子又はソファーを提供することにある。具体的に言えば、本考案にかかる支持構造体は、収納空間により、上下折り畳むまたは左右折り畳むことができる。
【課題を解決するための手段】
【０００５】
上記目的を達成するため、本考案の支持構造体は、座部フレームと、前記座部フレームに対して角度が変更可能に連結された背もたれフレームとを備える支持構造体において、前記座部フレームは、使用者の左右方向に沿って配置された座部左フレーム及び座部右フレームによって構成され、座部左フレームと座部右フレームとは座部角度可変機構によって挟角が変更角に連結されており、前記背もたれフレームは、使用者の左右方向に沿って配置された背もたれ左フレーム及び背もたれ右フレームによって構成され、背もたれ左フレームと背もたれ右フレームとは背もたれ角度可変機構によって挟角が変更角に連結されている、ことを特徴とする。
こうした構成によれば、背もたれフレームに対応する背もたれ及び座部フレームに対応する座部の左右両部分は、折り畳むことができる。そのため、この支持構成体を備える座椅子やソファーを収納する際に、自由度を高めるとともに収納のためのスペースを節約できる。
【０００６】
前記座部左フレームは、座部左側主フレームと、前記背もたれフレームの方向に向かうように、前記座部左側主フレームの左端に連結する座部左側連結フレームと、前記座部右フレームの方向に向かうように、前記座部左側連結フレームに連結する座部左側支持フレームと、前記座部左側主フレームと前記座部左側支持フレームと連結する座部左側支持補強フレームと、を備え、前記座部右フレームは、座部右側主フレームと、前記背もたれフレームの方向に向かうように、前記座部右側主フレームの右端に連結する座部右側連結フレームと、前記座部左フレームの方向に向かうように、前記座部右側連結フレームに連結する座部右側支持フレームと、前記座部右側主フレームと前記座部右側支持フレームと連結する座部右側支持補強フレームと、を備え、前記背もたれ左フレームは、背もたれ左側主フレームと、前記座部フレームの方向に向かうように、前記背もたれ左側主フレームの左端に連結する背もたれ左側連結フレームと、前記背もたれ右フレームの方向に向かうように、前記背もたれ左側連結フレームに連結する背もたれ左側支持フレームと、前記背もたれ左側主フレームと前記背もたれ左側支持フレームと連結する背もたれ左側支持補強フレームと、を備え、前記背もたれ右フレームは、背もたれ右側主フレームと、前記座部フレームの方向に向かうように、前記背もたれ右側主フレームの右端に連結する背もたれ右側連結フレームと、前記背もたれ左フレームの方向に向かうように、前記背もたれ右側連結フレームと連結する背もたれ右側支持フレームと、前記背もたれ右側主フレームと前記背もたれ右側支持フレームと連結する背もたれ右側支持補強フレームと、を備え、前記座部角度可変機構は、前記座部左側主フレームと前記座部右側主フレームと夾角が調節可能で連結する座部主フレーム角度可変機構と、前記座部左側支持フレームと前記座部右側支持フレームと夾角が調節可能で連結する座部支持フレーム角度可変機構と、を含み、前記背もたれ角度可変機構は、前記背もたれ左側主フレームと前記背もたれ右側主フレームと夾角が調節可能で連結する背もたれ主フレーム角度可変機構と、前記背もたれ左側支持フレームと前記背もたれ右側支持フレームと夾角が調節可能で連結する背もたれ支持フレーム角度可変機構と、を含む、ことが好ましい。
こうした構成によれば、座部主フレーム及び背もたれ主フレームのみによって使用者の体を支持する場合と比較して、より固く使用者の体を支持することができる。且つ、部分的な凹むことがないため、使用者の体をその向きにあわせて安定的且つ快適に支持することができる。
【０００７】
前記座部左側連結フレームと前記背もたれ左側連結フレームとは、左側上下角度可変機構によって挟角が変更角に連結されており、前記座部右側連結フレームと前記背もたれ右側連結フレームとは、右側上下角度可変機構によって挟角が変更角に連結されている、ことが好ましい。
この構成によれば、使用者が自分に対して適切な角度に調整することができるため、使用者をより安定的且つ快適に支持することができる。
【０００８】
本考案に係る座椅子又はソファーは、上記の支持構造体と、前記支持構造体に被覆されるクッション部とによって構成される。
【図面の簡単な説明】
【０００９】
【図１】本考案にかかるソファーの斜視図。
【図２】本考案にかかる支持構造体が平面状に展開された状態を示す平面図。
【図３】図２のＹ方向に沿って見た際の支持構造体の側面図。
【図４】本考案にかかる支持構造体が収納状態を示す側面図。
【考案を実施するための形態】
【００１０】
以下、本実用新案にかかる支持構造体及び該支持構造体を備えるソファーの一実施形態について説明する。
【００１１】
図１に示すように、本実用新案の椅子は、ほぼ正方形を呈し表面が平坦となる座面パッド２および背もたれパッド１を含む。座面パッド２と背もたれパッド１は、後述する椅子のフレームに取り付けられる構造を有する。
【００１２】
以下では、図２を参照しながら、本実用新案に係る椅子のフレームについて説明する。
図２に示すように、本実用新案に係る椅子のフレームは、座面パッド２を取り付けるための座面フレームと、背もたれパッドを取り付けるための背もたれフレームと、を備えている。
【００１３】
座面フレームは、座部フレームは、使用者の左右方向に沿って配置された座部左フレーム及び座部右フレームによって構成される。
【００１４】
座部左フレームは、座部左側主フレーム２１Ａと、背もたれフレームの方向に向かうように座部左側主フレーム２１Ａの左端に連結する座部左側連結フレーム３１Ｂと、座部右フレームの方向に向かうように座部左側連結フレーム３１Ｂに連結する座部左側支持フレーム２２Ａと、座部左側主フレーム２１Ａと座部左側支持フレーム２２Ａと連結する座部左側支持補強フレーム２３Ａと、を備える。
座部左側主フレーム２１Ａと、座部左側支持フレーム２２Ａと、座部左側支持補強フレーム２３Ａと、座部左側連結フレーム３１Ｂとは、ほぼ正方形をめぐって形成している。
そのうち、座部左側支持フレーム２２Ａは、座部左側連結フレーム３１Ｂの周辺に沿って上方に向かうように折り曲げ部を形成して、当該折り曲げ部により座部左側連結フレーム３１Ｂの周辺と連結している。
【００１５】
座部右フレームは、座部右側主フレーム２１Ｂと、背もたれフレームの方向に向かうように座部右側主フレーム２１Ｂの右端に連結する座部右側連結フレーム３２Ｂと、座部左フレームの方向に向かうように座部右側連結フレーム３２Ｂに連結する座部右側支持フレーム２２Ｂと、座部右側主フレーム２１Ｂと座部右側支持フレーム２２Ｂと連結する座部右側支持補強フレーム２３Ｂと、を備える。
座部右側主フレーム２１Ｂと、座部右側支持フレーム２２Ｂと、座部右側支持補強フレーム２３Ｂと、座部右側連結フレーム３２Ｂとは、ほぼ正方形をめぐって形成している。
そのうち、座部右側支持フレーム２２Ｂは、座部右側連結フレーム３２Ｂの周辺に沿って上方に向かうように折り曲げ部を形成して、当該折り曲げ部により座部右側連結フレーム３２Ｂの周辺と連結している。
【００１６】
背もたれフレームは、使用者の左右方向に沿って配置された背もたれ左フレーム及び背もたれ右フレームによって構成される。
【００１７】
背もたれ左フレームは、背もたれ左側主フレーム１１Ａと、座部フレームの方向に向かうように背もたれ左側主フレーム１１Ａの左端に連結する背もたれ左側連結フレーム３１Ａと、背もたれ右フレームの方向に向かうように背もたれ左側連結フレーム３１Ａに連結する背もたれ左側支持フレーム１２Ａと、背もたれ左側主フレーム１１Ａと背もたれ左側支持フレーム１２Ａと連結する背もたれ左側支持補強フレーム１３Ａと、を備える。
背もたれ左側主フレーム１１Ａと、背もたれ左側支持フレーム１２Ａと、背もたれ左側支持補強フレーム１３Ａと、背もたれ左側連結フレーム３１Ａとは、ほぼ正方形をめぐって形成している。
そのうち、背もたれ左側支持フレーム１２Ａは、背もたれ左側連結フレーム３１Ａの周辺に沿って上方に向かうように折り曲げ部を形成して、当該折り曲げ部により背もたれ左側連結フレーム３１Ａの周辺と連結している。
【００１８】
背もたれ右フレームは、背もたれ右側主フレーム１１Ｂと、座部フレームの方向に向かうように背もたれ右側主フレーム１１Ｂの右端に連結する背もたれ右側連結フレーム３２Ａと、背もたれ左フレームの方向に向かうように背もたれ右側連結フレーム３２Ａに連結する背もたれ右側支持フレーム１２Ｂと、背もたれ右側主フレーム１１Ｂと背もたれ右側支持フレーム１２Ｂと連結する背もたれ右側支持補強フレーム１３Ｂと、を備える。
背もたれ右側主フレーム１１Ｂと、背もたれ右側支持フレーム１２Ｂと、背もたれ右側支持補強フレーム１３Ｂと、背もたれ右側連結フレーム３２Ａとは、ほぼ正方形をめぐって形成している。
そのうち、背もたれ右側支持フレーム１２Ｂは、背もたれ右側連結フレーム３２Ａの周辺に沿って上方に向かうように折り曲げ部を形成して、当該折り曲げ部により背もたれ右側連結フレーム３２Ａの周辺と連結している。
【００１９】
なお、座部左フレームと座部右フレームとは座部角度可変機構によって挟角が変更角に連結されており、背もたれ左フレームと背もたれ右フレームとは背もたれ角度可変機構によって挟角が変更角に連結されている。
【００２０】
座部角度可変機構は、座部主フレーム角度可変機構および座部支持フレーム角度可変機構とによって構成される。
【００２１】
座部角度可変機構は、座部主フレーム連結体２１Ｃと、座部主フレーム角度調節件２１ＹＡと、座部主フレーム角度調節件２１ＹＢと、により構成する。
座部主フレーム連結体２１Ｃにおいては、左端が、座部主フレーム角度調節件２１ＹＡと連結しており、右端が、座部主フレーム角度調節件２１ＹＢと連結している。
座部主フレーム連結体２１Ｃの左側にある座部主フレーム角度調節件２１ＹＡにおいては、左端が、座部左側主フレーム２１Ａと連結している。
座部主フレーム連結体２１Ｃの右側にある座部主フレーム角度調節件２１ＹＢにおいては、右端が、座部右側主フレーム２１Ｂと連結している。
【００２２】
座部支持フレーム角度可変機構は、座部支持フレーム連結体２２Ｃと、座部支持フレーム角度調節件２２ＹＡと、座部支持フレーム角度調節件２２ＹＢと、により構成する。
座部支持フレーム連結体２２Ｃにおいては、左端が、座部支持フレーム角度調節件２２ＹＡと連結しており、右端が、座部支持フレーム角度調節件２２ＹＢと連結している。
座部支持フレーム連結体２２Ｃの左側にある座部支持フレーム角度調節件２２ＹＡにおいては、左端が、座部左側支持フレーム２２Ａと連結している。
座部支持フレーム連結体２１Ｃの右側にある座部支持フレーム角度調節件２２ＹＢにおいては、右端が、座部右側支持フレーム２２Ｂと連結している。
【００２３】
こうした構成により、座部主フレーム及び背もたれ主フレームのみによって使用者の体を支持する場合と比較して、より固く使用者の体を支持することができる。且つ、部分的に凹むことがないため、使用者の体をその向きにあわせて安定的且つ快適に支持することができる。
【００２４】
背もたれ角度可変機構は、背もたれ主フレーム角度可変機構および背もたれ支持フレーム角度可変機構とによって構成される。
【００２５】
背もたれ角度可変機構は、背もたれ主フレーム連結体１１Ｃと、背もたれ主フレーム角度調節件１１ＹＡと、背もたれ主フレーム角度調節件１１ＹＢと、により構成する。
背もたれ主フレーム連結体１１Ｃにおいては、左端が、背もたれ主フレーム角度調節件１１ＹＡと連結しており、右端が、背もたれ主フレーム角度調節件１１ＹＢと連結している。
背もたれ主フレーム連結体１１Ｃの左側にある背もたれ主フレーム角度調節件１１ＹＡにおいては、左端が、背もたれ左側主フレーム１１Ａと連結している。
背もたれ主フレーム連結体１１Ｃの右側にある背もたれ主フレーム角度調節件１１ＹＢにおいては、右端が、背もたれ右側主フレーム１１Ｂと連結している。
【００２６】
背もたれ支持フレーム角度可変機構は、背もたれ支持フレーム連結体１２Ｃと、背もたれ支持フレーム角度調節件１２ＹＡと、背もたれ支持フレーム角度調節件１２ＹＢと、により構成する。
背もたれ支持フレーム連結体１２Ｃにおいては、左端が、背もたれ支持フレーム角度調節件１２ＹＡと連結しており、右端が、背もたれ支持フレーム角度調節件１２ＹＢと連結している。
背もたれ支持フレーム連結体１２Ｃの左側にある背もたれ支持フレーム角度調節件１２ＹＡにおいては、左端が、背もたれ左側支持フレーム２２Ａと連結している。
背もたれ支持フレーム連結体１１Ｃの右側にある背もたれ支持フレーム角度調節件１２ＹＢにおいては、右端が、背もたれ右側支持フレーム１２Ｂと連結している。
【００２７】
上記座部角度可変機構および背もたれ角度可変機構により、座部左フレームおよび背もたれ左フレームは、座部右フレームおよび背もたれ右フレームに対して、折り畳むことができる。
そして、座部角度可変機構および背もたれ角度可変機構は、０°〜１８０°の範囲内で角度調節可能であるが、後ろに向かって０°〜９０°の範囲内で角度調節可能であることが好ましい。
例えば、座部角度可変機構および背もたれ角度可変機構は、後ろに向かって０°〜９０°の範囲内で角度調節可能である場合、背もたれ主フレーム連結体１１Ｃの両側および背もたれ支持フレーム連結体１２Ｃの両側に左右一対な角度可変機構があるため、背もたれ左フレームが背もたれ右フレームに対して０°〜１８０°の範囲内で角度調節可能となり、座部主フレーム連結体２１Ｃの両側および座部支持フレーム連結体２２Ｃの両側に左右一対な角度可変機構があるため、座部左フレームが座部右フレームに対して０°〜１８０°の範囲内で角度調節可能となる。
なお、背もたれ主フレーム連結体１１Ｃと、背もたれ支持フレーム連結体１２Ｃと、座部主フレーム連結体２１Ｃと、座部支持フレーム連結体２２Ｃと、の長さは、折り畳んだソファーの左フレームと右フレームとの間のクッション体の厚さがほぼ同じであることがさらに好ましい。
こうした構成により、この支持構成体を備える座椅子やソファーを収納する際に、自由度を高めるとともに収納のためのスペースを節約できる。
【００２８】
また、座部左フレームに構成する座部左側連結フレーム３１Ｂと、背もたれ左フレームに構成する背もたれ左側連結フレーム３１Ａとは、左側上下角度可変機構３１Ｘにより角度調節可能で連結している。
座部右フレームに構成する座部右側連結フレーム３２Ｂと、背もたれ右フレームに構成する背もたれ右側連結フレーム３２Ａとは、右側上下角度可変機構３２Ｘにより角度調節可能で連結している。
【００２９】
上記左側上下角度可変機構３１Ｘおよび右側上下角度可変機構３２Ｘにより、背もたれフレームは、座部フレームに対して、折り畳むことができる。
そして、左側上下角度可変機構３１Ｘおよび右側上下角度可変機構３２Ｘは、０°〜１８０°の範囲内で角度調節可能であるが、０°〜１２０°の範囲内、さらに０°〜９０°の範囲内で角度調節可能であることが好ましい。
こうした構成により、この支持構成体を備える座椅子やソファーは、使用者が自分に対して適切な角度に調整することができるため、使用者をより安定的且つ快適に支持することができる。
【００３０】
上述したように、内部に設けられて骨格となる支持構造体と、支持構造体の全体に被覆されたクッション体とによってソファー１が構成されている。背もたれフレームが座部フレームに対して０°〜１８０°の範囲内で角度調節可能であるため、使用者が座部に着座してソファーを使用する際に、背もたれを使用者の前後方向に回動させて、自分の好みに従って背もたれと座部との間の角度を調整することができる。
【００３１】
また、上述したように、本実用新案に係る支持構造体は、座部左フレームが座部右フレームに対して０°〜３６０°の範囲内で角度調節可能で、背もたれ左フレームが背もたれ右フレームに対して０°〜３６０°の範囲内で角度調節可能であるため、使用者が収納する際に、支持構造体を完全に折り畳むことができて、自由度を高めるとともに収納のためのスペースを節約できる。
【図１】
0003221821.tif 000003
【図２】
0003221821.tif 000004
【図３】
0003221821.tif 000005
【図４】
0003221821.tif 000006